Podtech/llm-jp-corpus-v4-ja_patent huggingface dataset:
(57)【要約】【課題】  従来の水道水直結型オゾン水生成器では、常圧の水を流して洗浄殺菌消臭するだけで、水の噴出口のノズル調整での高圧噴射、噴霧等の調整は不可能であり、オゾン水での高圧噴射、噴霧による洗浄殺菌消臭は不可能である。又気液混合部へ水とオゾンを送る場合、ホースが二本必要となり不便である。【解決手段】  水の噴出口にオゾンを噴きつけ、水の噴出時に生じる空気の対流にオゾンを対流させ、対流することによりオゾンを含んだ水を、噴射又は噴霧し洗浄殺菌消臭をすることができる。又ホース合流装置部によりホースを一本化することができる。【選択図】図２
2007111689.tif 000002
【特許請求の範囲】
【請求項１】
水を噴射又は噴霧し、その噴射口又は噴霧口にオゾンを放出して、水を噴射又は噴霧したときに水勢で生じる空気の対流に、オゾンを対流させ、噴射状又は霧状になった水とオゾンを混合させ洗浄等を行う、吐水口設置型気液混合装置。
【請求項２】
吐水口設置型気液混合装置部に水とオゾンを送り込むために、水のホース内部にオゾンホースを通し、水ホースとオゾンホースを一体化して、水とオゾンを吐水口設置型気液混合装置部へ送り込む装置。
【発明の詳細な説明】
【技術分野】
【０００１】  本発明は、水の噴射噴霧ノズルの噴出口にオゾンを放出させ、水を噴射又は噴霧するときの水勢で生じる空気の対流にオゾンを対流させ混合させる。【０００２】  強い酸化分解力のあるオゾンを含んだ水を噴射又は噴霧し洗浄殺菌消臭をする、吐水口設置型気液混合装置。【０００３】  吐水口設置型気液混合装置部に水とオゾンを送り込むために、水のホース内部にオゾンホースを通し、水ホースとオゾンホースを一体化して、水とオゾンを吐水口設置型気液混合装置部へ送り込む装置。
【背景技術】
【０００４】  厨房及び器具類、食品加工所、食品等運搬用コンテナ内、厩舎等の洗浄の多くは、ホースで水を流しブラシモップ等を使用するか、水の噴射等で洗い流す方法で行われている。【０００５】  洗浄消毒においては、洗剤を使用するか消毒用薬液等を使用している。【０００６】  消毒用薬液等を使用した場合、残留性があり非常に危険である。【０００７】  消臭においては、多くは活性炭等の脱消臭剤を置いたり換気扇等で換気をする。【０００８】  野菜等の生鮮食料品の洗浄は、ほとんどの場合水洗いである。【０００９】  吐水口設置型気液混合装置部へ水とオゾンを同時に送り込む場合、水及びオゾンホースが各一本が必要で二本となる。【００１０】  従来のオゾン水生成器では、水を噴射又は噴霧状にするため噴出口を絞った場合、水の圧力が気液混合部にかかり、オゾン注入部へ水が逆流し、逆支弁の作用でオゾンが寸断されてしまう。【００１１】  その結果従来のオゾン水生成器では、オゾン水の噴射及び噴霧は不可能である。
【発明の開示】
【発明が解決しようとする課題】
【００１２】  以上に述べた従来の洗浄消毒では、消毒用薬液等の残留性があるため、後処理に困難を極める。【００１３】  消臭においても、臭いを吸着させるか換気扇等で空気の入れ替えであり、根本的解決にはなっていない。【００１４】  また、野菜等の生鮮食料品の洗浄は、ほとんどの場合水洗いで、落としきれない雑菌等もあり完全ではない。【００１５】  吐水口設置型気液混合装置部へ水とオゾンを同時に送り込むため、ホースが二本となり不便である【００１６】  従来のオゾン水生成器での、オゾン水の噴射及び噴霧による洗浄殺菌消臭は不可能である。【００１７】  本発明は、このような従来の洗浄殺菌消臭するうえで有していた問題を解決しようとするものであり、完全洗浄殺菌消臭を実現することを目的とするものである。
【課題を解決するための手段】
【００１８】  本発明は、上記目的を達成するための装置で、水を噴射又は噴霧しその噴射口又は噴霧口にオゾンを放出し、噴射又は噴霧した水勢で生じる空気の対流に放出されたオゾンを対流させ、噴射状又は霧状になった水とオゾンを混合させ、強い酸化分解力を持つオゾンを含んだ水を噴射又は噴霧し、洗浄殺菌消臭をする。【００１９】  吐水口設置型気液混合装置部へ水とオゾンを同時に送り込む場合、ホースが各一本必要となるため、オゾンホースを水ホース内に収め一体化とする。
【発明の効果】
【００２０】  水のノズルは、高圧噴射、噴霧の調整が可能なものを使用することにより、床及び側溝等の高圧洗浄殺菌消臭から、野菜等の生鮮食料品の洗浄殺菌まで幅広く使用できる。【００２１】  オゾンは、空気中の酸素から生成され、細菌臭気等の不純物に反応後元の酸素に戻るので、残留性が無く洗浄後の後処理の必要がなく安全である。【００２２】  吐水口設置型気液混合装置部へ水とオゾンを同時に送り込むホースが一本となり、取り扱いが容易である。【００２３】  上述したように本発明の吐水口設置型気液混合装置は、噴射又は噴霧する水にオゾンを混合させ、オゾンの持つ強い酸化分解力で洗浄殺菌消臭ができ、消毒用薬液を使用したときのように残留性がまったく無く安心して使用できる。
【発明の実施するための最良の形態】
【００２４】  以下、本発明の実施の形態を図１及び図２に基づいて説明する。
【００２５】  水ホース５より水道水等を注水し、水流室６を通過し水ホース７を通過する。
【００２６】  水ホース７と水ホース１１を連結し、注水された水が水流室１２を通過し、水噴射噴霧ノズル１３にて噴出される。
【００２７】  同時にエアーポンプで送り出されたオゾンをオゾンホース８より、オゾンホース９オゾンホース１４を経てオゾン流室１５に送る。
【００２８】  オゾン流室１５を経てオゾン吐出口１６に分配され、オゾンが水噴出口に放出される。
【００２９】  噴射又は噴霧による水勢のため生じた空気の対流に、オゾン吐出口１６から放出されたオゾンが対流し、噴射又は噴霧された水とオゾンが混合される。
【００３０】  上記によりオゾンを含んだ水を噴射又は噴霧し洗浄殺菌消臭をする。
【図面の簡単な説明】
【００３１】
【図１】  本発明の形態を示すオゾンホースを水ホースの中に通し、一本化するホース合流装置部の構造配置図。
【図２】  本発明の吐水口設置型気液混合装置部の構造配置図。
【符号の説明】
【００３２】［図１〜図２］
１  本体
２  本体蓋
３  水漏れ防止Ｏリング
４  本体蓋止めビス
５  水ホース
６  水流室
７  水ホース
８  オゾンホース
９  オゾンホース
１０  混合装置本体
１１  水ホース
１２  水流室
１３  水噴射噴霧ノズル
１４  オゾンホース
１５  オゾン流室
１６  オゾン吐出口
【図１】
2007111689.tif 000003
【図２】
2007111689.tif 000004
(57)【要約】      （修正有）【課題】フライパンなどの重い調理器具をつるしても落下せず、取付も簡単な、調理用フックを提供する。【解決手段】金属製で乙型の調理用フックの本体１に調理用コンロの排煙ファンのフード下部に既設されている油溝５の形状に合わせてあり、油溝に挿入できる金属製で直方体の挿入板２を設けた。挿入板２の働きで、重い調理器具６を吊るしても、レンジフード下部の油溝５から挿入板２がはずれることはない。したがって重い調理器具６を吊るしても落下しない。また、取り付けも簡単である。この挿入板２は単に金属製であるが、挿入板２の下部に磁力板を設けたものでも良い。【選択図】図２
2007111292.tif 000002
【特許請求の範囲】
【請求項１】
調理器具等を吊るすためのフックの上部の下側に直方体の挿入板の中心部を接着したことを特徴とする調理用フック。
【請求項２】
前記挿入板は、調理用コンロの排煙ファンのフード下部に既設されている油溝の形状に合わせてあり、油溝に挿入できることを特徴とする請求項１記載の調理用フック。
【発明の詳細な説明】
【技術分野】
【０００１】
この発明は、フライパン等の調理器具を吊るすのに用いる調理用フックの形状に関する。
【背景技術】
【０００２】
従来のフライパン等の調理器具を吊るすのに用いるフックの形状は、フックの片端に壁面に設置するための吸着盤、磁石、接着剤付の取り付け盤等が設けられたものであったり、レンジフードの油溝にネジ等で取り付けるものであった。
【特許文献１】特願２００２−１１１３３８号公報
【発明の開示】
【発明が解決しようとする課題】
【０００３】
しかしながら、以上の技術によれば、フックを支える吸着盤、磁石、接着剤付きの取付盤等が固定しにくく、特にフライパン等の重い調理器具を吊るすときは調理用器具が落下することがあり危険であった。また、ネジ等で取り付ける場合、手間がかかり、確実に固定する必要があった。  そこで、この発明は、フライパン等の重い調理器具を吊るしても落下せず、取り付けも簡単な、調理用フックを提供することを課題とする。
【課題を解決するための手段】
【０００４】
以上の課題を解決するために、第一発明は、調理器具等を吊るすためのフックの上部の下側に直方体の挿入板の中心部を接着したことを特徴とする調理用フックである。
また、第二発明は、調理器具等を吊るすためのフックの上部の下側に直方体の挿入板の中心部を接着し、この挿入板は、調理用コンロの排煙ファンのフード下部に既設されている油溝の形状に合わせてあり、油溝に挿入できることを特徴とする請求項１記載の調理用フックである。
【発明の効果】
【０００５】
第一発明、または第二発明によれば、調理器具等を吊るすためのフックの上部の下側に直方体の挿入板の中心部が接着されており、この挿入板が調理用コンロの排煙ファンのフード下部に既設されている油溝の形状に合わせてあり、油溝に挿入できるため、フライパン等の重い調理器具を吊るしても落下しない。また、挿入板を油溝に挿入するだけなので、取り付けが簡単である。
【発明を実施するための最良の形態】
【０００６】
この発明の一実施形態を、図１、図２に示す。
調理用フックの本体１は金属製であり乙型をしている。この本体１の上部の下側には、金属製で直方体の挿入板２が一体的に接着されている。この本体１の下部の中心３は挿入板２の中心４のほぼ真下に位置する。また挿入板２は調理用コンロの排煙ファンのフード下部に既設されている油溝５の形状に合わせてあり、油溝に挿入できる。
【０００７】
「実施形態の効果」
この実施形態によれば、挿入板２の働きで、フライパン等の重い調理器具６を吊るしても、調理用コンロの排煙ファンのフード下部に既設されている油溝５から挿入板２がはずれることはない。したがってフライパン等の重い調理器具６を吊るしても落下しない。またこの本体１の下部の中心３は挿入板２の中心４のほぼ真下に位置する。したがってフライパン等の重い調理器具６を吊るした時、挿入板２が安定し転倒を防止する。さらに、挿入板２を調理用コンロの排煙ファンのフード下部に既設されている油溝５に挿入するだけなので、取り付けが簡単である。
【０００８】
「他の実施形態」
図１の実施形態では、挿入板２は単に金属製であるが、他の実施形態では、挿入板２の下部に磁力板を設けたものでも良い。
【図面の簡単な説明】
【０００９】
【図１】この発明の一実施形態を示す斜視図である。
【図２】この発明の一実施形態を示す斜視図である。
【符号の説明】
【００１０】
１  本体            ２  挿入板      
３  本体１の下部の中心        ４  挿入板２の中心
５  調理用コンロの排煙ファンのフード下部に既設されている油溝
６  フライパン等の重い調理器具
【図１】
2007111292.tif 000003
【図２】
2007111292.tif 000004
(57)【要約】      （修正有）【課題】旅行中などの移動のときなどに使用される従来アイマスクは、周囲を見るためにはいちいちアイマスクを取り外さないと見えなかった。また、従来のアイマスクの使用目的は睡眠時などを限定したものであり、それ以外の目的には使用されなかった、更にアイマスクの材質は布製で瞼に直接触れてしまい眼病の原因にもなっていた。これらの課題を解決したアイマスクを提供する。【解決手段】眼鏡部は左右２個のラバー４で保護された偏光板２とで構成され、偏光板は二枚を重着し、重着した２枚の偏光板２はそれぞれ偏光角度を調節ツマミ３で調節できるようにし、偏光角度の調節により周囲を見ることを可能にした。【選択図】図１
2007111275.tif 000002
【特許請求の範囲】
【請求項１】
眼鏡部は左右２個のラバーで保護された偏光板とで構成され、偏光板は二枚を重着し、重着した２枚の偏光板はそれぞれ偏光角度を調節することができることを特徴とする多機能性アイマスク。
【発明の詳細な説明】
【技術分野】
【０００１】
本発明は、眼鏡部を偏光板で構成された多機能性アイマスクに関するものである。
【背景技術】
【０００２】
アイマスクは旅行中などの睡眠時に外光を遮断するために使われている。
【特許文献１】特開２００４−２４９０１９号公報
【発明の開示】
【発明が解決しようとする課題】
【０００３】
従来アイマスクは旅行中などの移動のときなどに使用され、周囲を見るためにはいちいちアイマスクを取り外さないと見えなかった。
【０００４】
また、従来のアイマスクは睡眠時を限定した使用目的で、それ以外の目的には使用されなかった、更にアイマスクの材質は布製で目に直接触れてしまい眼病の原因にもなっていた。
【課題を解決するための手段】
【０００５】
本発明は上記目的を達成するために、請求項１記載の発明は、眼鏡部は左右２個のラバーで保護された偏光板とで構成され、偏光板は二枚を重着し、重着した２枚の偏光板はそれぞれ偏光角度を調節することができることを特徴とする。
【発明の効果】
【０００６】
本発明は、いちいち取り外さなくても偏光板を調節するだけで見ることができる、また睡眠時以外の屋外の活動時においては通常のサングラスと同じ目的で使用できる。
【発明を実施するための最良の形態】
【０００７】
眼鏡部を偏光板で構成することで実現した。
【実施例】
【０００８】
以下に実施例を挙げ、本発明の多機能性アイマスクについて、図面を参照して詳細に説明する。図１に、本発明の実施の形態に係る多機能性アイマスクの斜視図を示す。図２に、本発明の実施の形態に係る多機能性アイマスクの平面図を示す。
【０００９】
多機能性アイマスク１の特徴とするところは、図１と図２に示すように、眼鏡部は左右２個のラバー４で保護された偏光板２とで構成され、偏光板２は二枚を重着し、重着した
【００１０】
２枚の偏光板２ａ,２ｂはそれぞれ偏光角度を調節する調節ツマミ３が付着している。
偏光板１は、光の波動のうち、特定方向のみを通し、偏光の角度の度合いによっては光が透過されたり遮断されたりする、そのため調節ツマミ３によって重着した２枚の偏光板２ａ,２ｂの偏光角度を調節することで見えたり見えなくなったりする。
【００１１】
偏光板２は円形で製作され、重着した２枚の偏光板２ａ,２ｂにはそれぞれ調節ツマミ３が付着しているため、調節ツマミ３をそれぞれ左右に移動することによって偏光の角度の度合を調整し、使用目的に応じて透過度や遮断度を調節することで、最適な使用条件に合わせることができる。
【００１２】
例えば、本来の目的であるアイマスクの機能として使用する場合は、偏光の角度の度合を光が透過しない角度まで調節ツマミ３で調節すると光が遮断され目の前が暗くなり睡眠に適した機能となる。
【００１３】
また屋外の活動時に使用する場合は、太陽光の照度の強弱に応じて偏光の角度の度合を調節することで最適な通常のサングラスの機能で使用できる。
【００１４】
また多機能性アイマスク１はバンド５が眼鏡部に具備しているため頭部に締着できる。
【００１５】
偏光板２ａ,２ｂはラバー４で固定されている。ラバー４は目が偏光板２ｂに直接触れないように偏光板２から円錐状に目の部分にかけて広がっているので目に直接触れることがなく目の疾患の予防になる、また、従来のアイマスクの材質は布製で汚れたときは洗濯をして乾くまで使用できなかったが、本発明の材質はラバーと樹脂版であるため洗浄が容易であることも清潔感を保つことになる。
【産業上の利用可能性】
【００１６】
本発明は、アイマスクとしても使用できるが、眼鏡部が偏光板であるためサングラスとしても使用できる多機能性アイマスクに関する。
【図面の簡単な説明】
【００１７】
【図１】この発明に係わる多機能性アイマスクの斜視図である。
【図２】この発明に係わる多機能性アイマスクの平面図である。
【符号の説明】
【００１８】
１    多機能性アイマスク
２    偏光板
２ａ  前方偏光板
２ｂ  後方偏光板
３    調整ツマミ
４    ラバー
５    バンド
６    目
【図１】
2007111275.tif 000003
【図２】
2007111275.tif 000004
(57)【要約】【課題】従来、裁ちハサミ類は利き腕に応じて使用しなければ切り難い等の不便を感じていた、また、裁ちハサミ類の左手用のハサミは右手用に比べて種類や数量も少なく、左利きの人は不便を承知でやむなく右利き用のハサミで作業性を悪くしていた。【解決手段】把手部と刃部の穿孔した貫通孔に駆軸ネジを挿通し、駆軸ネジによって把手部と刃部とを挾着し、刃部を取替えることで右手用や左手用になる。そのため洋裁用や理髪用や工業用など広い用途を持ち、利き腕の右手用と左手用の刃部だけを取り替えるだけで両用ハサミとして使用できる。【選択図】図３
2007111279.tif 000002
【特許請求の範囲】
【請求項１】
把手部と刃部の穿孔した貫通孔に駆軸ネジを挿通し、駆軸ネジによって把手部と刃部とを挾着し、刃部を取替えることで右手用や左手用になることを特徴とする両用ハサミ。
【発明の詳細な説明】
【技術分野】
【０００１】
本発明は、ハサミの刃部を利き腕用に取り替えることで作業性を向上させる両用ハサミに関する。
【背景技術】
【０００２】
従来、ハサミは握りハサミ（日本ハサミ）や裁ちハサミなどがあり、右利き者が多いということ理由で主に右手用が製造されてきた。
【特許文献１】特開２００３−８４４６０号公報
【発明の開示】
【発明が解決しようとする課題】
【０００３】
従来、裁ちハサミ類は利き腕に応じて使用しなければ切り難い等の不便を感じていた、また、裁ちハサミ類の左手用のハサミは右手用に比べて種類や数量も少なく、左利きの人は不便を承知でやむなく右利き用のハサミで作業性を悪くしていた。
【課題を解決するための手段】
【０００４】
本発明は、上記目的を達成するため、請求項１記載の発明は、把手部と刃部の穿孔した貫通孔に駆軸ネジを挿通し、駆軸ネジによって把手部と刃部とを挾着し、刃部を取替えることで右手用や左手用になることを特徴とする。
【発明の効果】
【０００５】
本発明は、把手部と刃部の穿孔した貫通孔に駆軸ネジを挿通し、駆軸ネジによって把手部と刃部とを挾着し、刃部を取替えることで右手用や左手用になる。
【０００６】
また、刃部の交換が容易にできるため刃部が錆びたり痛んだりしても、ハサミ本体を新たに購入する必要はなく、替え刃のみを新しいものに交換すればよく、経済的である。
【発明を実施するための最良の形態】
【０００７】
把手部に刃部のみを容易に着脱可能にすることで実現した。
【実施例】
【０００８】
以下に実施例を挙げ、本発明の両用ハサミについて、図面を参照して詳細に説明する。
【０００９】
図１は、この発明に係わる両用ハサミの正面図である。図２はこの発明に係わる両用ハサミの分解図である。図３はこの発明に係わる両用ハサミの挾着イメージ図である。図４はこの発明に係わる両用ハサミの右手用と左手用の正面図である。
【００１０】
図１において、本発明の両用ハサミ１は二つの把手部２ａと把手部２ｂに刃部３が駆軸ネジ５によって挾着されている。
【００１１】
図２と図３において、前記の両用ハサミ１の二つの把手部２ａと把手部２ｂは駆軸ネジ５を抜出すことで分離される。
【００１２】
刃部３は、右利き用には右手用刃部３ａと右手用刃部３ｂを前記の把手部２ａと把手部２ｂに載上し、右手用刃部３ａと右手用刃部３ｂの貫通孔４と把手部２ａと把手部２ｂの貫通孔４に駆軸ネジ５を挿通して挾着する。
【００１３】
また、左利き用には、左手用刃部３ｃと左手用刃部３ｄを把手部２ａと把手部２ｂに載上し、左手用刃部３ｃと左手用刃部３ｄの貫通孔４と把手部２ａと把手部２ｂの貫通孔４に駆軸ネジ５を挿通して挾着する。
【００１４】
前記、駆軸ネジ５はボルト部５ａとナット部５ｂで構成され、把手部と刃部を挾着するときは、ナット部５ｂを締める、また分解したりするときはナット部５ｂを緩めボルト部５ａ抜出する。
【００１５】
駆軸ネジ５のナット部５ｂを緩め抜出することで刃部の取替えが容易にできる。
【産業上の利用可能性】
【００１６】
本発明の裁ちハサミ類は、洋裁用や理髪用や工業用など広い用途を持ち、利き腕の右手用と左手用の刃部だけを取り替える両用ハサミを提供することで作業能率を向上する。
【図面の簡単な説明】
【００１７】
【図１】この発明に係わる両用ハサミの正面図である。
【図２】この発明に係わる両用ハサミの分解図である。
【図３】この発明に係わる両用ハサミの挾着イメージ図である。
【図４】この発明に係わる両用ハサミの右手用と左手用の正面図である。
【符号の説明】
【００１８】
１    両用ハサミ
１ａ  右手用両用ハサミ
１ｂ  左手用両用ハサミ
２ａ  把手部
２ｂ  把手部
３    刃部
３ａ  右手用刃部
３ｂ  右手用刃部
３ｃ  左手用刃部
３ｄ  左手用刃部
４    貫通孔
５    駆動ネジ
５ａ  ボルト部
５ｂ  ナット部
【図１】
2007111279.tif 000003
【図２】
2007111279.tif 000004
【図３】
2007111279.tif 000005
【図４】
2007111279.tif 000006
(57)【要約】【課題】従来の粘性の強い溶液を掬い取るスプーンは、容器の形状や大きさに応じてスプーンを準備しなければならなかった。また化学物質の種類によっては、粘性の強い溶液を掬い取るスプーンはスプーン表面をゴム材で被着しなければならなかった。【解決手段】左右に形状の異なる屈折した屈折角度をもつスプーン頭部を具備し、スプーン頭部をゴム材で被着した双頭の頭部によって、化学物質の粘性の強い溶液を容易に掬い取ることができる。                                                                        【選択図】図１
2007111277.tif 000002
【特許請求の範囲】
【請求項１】
左右に形状の異なる屈折したスプーン頭部を具備し、スプーン頭部をゴム材で被着したことを特徴とする双頭スプーン。
【発明の詳細な説明】
【技術分野】
【０００１】
本発明は、双頭の頭部を具備するスプーンであって、頭部を屈折し、化学物質の粘性の強い溶液を容易に掬い取ることができるスプーンに関するものである。
【背景技術】
【０００２】
小型容器から掬い取る先端部がゴム状の箆が実用に供されている。
【特許文献１】特開２００４−２４９０５６号公報
【発明の開示】
【発明が解決しようとする課題】
【０００３】
従来の粘性の強い溶液を掬い取るスプーンは、容器の形状や大きさに応じてスプーンを準備しなければならなかった。また化学物質の種類によっては、粘性の強い溶液を掬い取るスプーンはスプーン表面をゴム材で被着しなければならなかった。
【課題を解決するための手段】
【０００４】
本発明は、上記課題を解決するため、請求項１の発明は、左右に形状の異なる屈折した屈折角度をもつスプーン頭部を具備し、スプーン頭部をゴム材で被着したことを特徴とする。
【発明の効果】
【０００５】
本発明の請求項１の発明によれば左右に形状の異なる屈折したスプーン頭部を具備し、スプーン頭部をゴム材で被着したことで、小さめの日用品容器や実験容器から、粘性の強い溶液を容易に掬い取る効果を奏する。
【発明を実施するための最良の形態】
【０００６】
左右に形状の異なる屈折したスプーン頭部を具備し、スプーン頭部をゴム材で被着したことで実現した。
【実施例】
【０００７】
以下に実施例を挙げ、本発明の双頭スプーンについて、図面を参照して詳細に説明する。
図１は、本発明に係わる双頭スプーンの実施例を示す斜視図である。
図２は、本発明に係わる双頭スプーンの実施例を示す正面図である。
【０００８】
図１と図２において、本発明の双頭スプーン１は、把手６の左右にａスプーン頭部２とｂスプーン頭部３を具備し、ａスプーン頭部２にはａゴム材４を被着し、ｂスプーン頭部３にはｂゴム材５を被着している。
【０００９】
ａスプーン頭部２とｂスプーン頭部３は屈折している、そのため粘性の強い溶液でも容易に掬い取ることができる。
【００１０】
例えば、双頭スプーン１のａスプーン頭部２とｂスプーン頭部３の屈折角度は粘性の強い溶液の場合は角度を１５０度から１６０度にすれば内容物を容易に掬い取れる。
【００１１】
双頭スプーン１は、把手６とａスプーン頭部２とｂスプーン頭部３は同一の素材で製作され、境目がなく繋がっている。
【００１２】
双頭スプーン１はａスプーン頭部２とｂスプーン頭部３は形状も大きさも異なるため容器の種類や溶液の粘性の強弱に合わせて使用する。
【００１３】
例えば、双頭スプーン１の形状は、スプーンの片方が尖ったり半月の形状などが考えられる。
【００１４】
双頭スプーン１は、ａスプーン頭部２とｂスプーン頭部３の表面をそれぞれゴム材で被着しているため化学物質の種類によっては、スプーン素材は腐食などの化学変化に耐える。
【産業上の利用可能性】
【００１５】
化学物質の粘性の強い溶液の容器から適量を掬い取ることができる用途に適用する。
【図面の簡単な説明】
【００１６】
【図１】本発明に係わる双頭スプーンの実施例を示す斜視図である。
【図２】本発明に係わる双頭スプーンの実施例を示す正面図である。
【符号の説明】
【００１７】
１  双頭スプーン
２  ａスプーン頭部
３  ｂスプーン頭部
４  ａゴム材
５  ｂゴム材
６  把手
【図１】
2007111277.tif 000003
【図２】
2007111277.tif 000004
(57)【要約】      （修正有）【課題】乳幼児を抱っこする為のスリング式子守り帯は乳幼児を抱き入れた後の余分な布の調節が難しく乳幼児の体が安定されず危険だった。調節を必要とせずに乳幼児を安全にかつ安定した状態で抱くことが出来るスリングを提供する。【解決手段】スリングの本体の中央部分で、乳幼児抱き入れる領域に複数のカーブ状の接ぎを設け、この接ぎは本体の幅の端から反対の端までをつなぐカーブ状の接ぎで両方の端に近づく程絞られたカーブである。【選択図】図１
2007111082.tif 000002
【特許請求の範囲】
【請求項１】
一枚の輪布状のスリング及び、本体の一方の端に２個のリング等を使って長さ調節を可能にしたスリングのどちらにおいても、本体の中央部分で乳幼児を抱き入れる領域に、複数のカーブ状の接ぎを設けたことを特徴とするスリング式子守り帯。
【請求項２】
スリングの本体中央部分で乳幼児を抱き入れる領域に、本体の幅の端から反対の端までをつなぐカーブ状の接ぎが、複数設けられたことを特徴とするスリング式子守り帯。
【発明の詳細な説明】
【技術分野】
【０００１】
この発明は、乳幼児向けスリング式子守り帯の形状に関する。
【背景技術】
【０００２】
従来のスリング式子守り帯は図４で示すように、一枚の長方形の布で出来ており、一方の端につけた２個のリングにもう一枚の布端をくぐらせて出来た輪を体にタスキがけし、中央部分に乳幼児を抱き入れるものである。
【特許文献１】特開        ２００３−４７５４２号公報                        意匠登録  第１１６２４７３号                        実用新案  第３１０１０７５号
【発明の開示】
【発明が解決しようとする課題】
【０００３】
しかしながら、以上の技術によれば、乳幼児を抱き入れた後、乳幼児の体が安定するようなふくらみを形成するとともに、乳幼児の体を引き寄せて安全に抱く為、リングから出た余った布を引っ張るなどして調節する必要があった。
そこで、この発明は調節を必要とせずに乳幼児を安全にかつ安定した状態で抱くことの出来るスリングを提供することを課題とする。
【課題を解決するための手段】
【０００４】
以上の課題を解決するために、第一発明は、乳幼児を抱き入れる領域に、複数のカーブ状の接ぎを設けたことを特徴とするスリング式子守り帯である。
また、第二発明は、スリングの本体中央部分で、乳幼児を抱き入れる領域に複数のカーブ状の接ぎを設け、この接ぎは本体の幅の端から反対の端までをつなぐカーブ状の接ぎで両方の端に近づく程絞られたカーブである。
【発明の効果】
【０００５】
第一発明、または第二発明によれば、スリング本体に複数のカーブ状の接ぎを設けたことで、乳幼児を抱き入れたあとの余った布の調節が不要になり、簡単でなおかつ、安全で安定した抱っこが可能になった。
【発明を実施するための最良の形態】
【０００６】
本体中央部には複数のカーブ状の接ぎが設けられている。カーブは両端が絞られた形になっているため、本体中央部に立体的なふくらみを形成し、乳幼児の体を優しく包み込むと共にしっかりと安定させ、安全に抱くことが出来る。
この発明の実施形態を図１、図２及び図３に示す。
【０００７】
「実施形態の効果」
この実施形態によれば、複数のカーブ状の接ぎで出来たふくらみが乳幼児の体を優しく包み込むと共にしっかりと安定させる。
布幅の両端で絞られたカーブ状の接ぎなので、余分な布を引いて乳幼児の体を引き寄せるなどの調節をしないでも、理想的な形で安全にかつ簡単に抱くことが出来る。
カーブは複数設けられているため、抱く人の身長、体格の多様性に対応すると共に、乳幼児の成長の変化にも対応し、同じように安定した形で安全に抱くことができる。
さらに縦抱き、横抱きのどちらの抱き方にも対応出来るので新生児から３歳近くまで成長に応じて使い分けることが出来る。
【図面の簡単な説明】
【０００８】
【図１】この発明の一実施形態の着用時を示す斜視図である。
【図２】この発明の一実施形態示す斜視図である。
【図３】この発明の一実施形態を示す平面図及び側面図である。
【図４】従来のスリング式子守り帯の一例である。
【符号の説明】
【０００９】
１  布幅の端でカーブの絞られた側
２  布幅のもう一方の端でカーブの絞られた側
３  カーブの中央部分で乳幼児を抱き入れる領域
【図１】
2007111082.tif 000003
【図２】
2007111082.tif 000004
【図３】
2007111082.tif 000005
【図４】
2007111082.tif 000006
(57)【要約】      （修正有）【課題】高所の果実の枝を挟むようにして竹竿の柄ごと押し込む事により、果実の枝を切断し採集具に取り付けて有る網に果実を収める。【解決手段】果実網付き採集具は四辺形の金枠で、針金の直経は約５ｍｍの物を使用し両辺を結んだところに三ヶ月型の刃１を両側に取り付けて二股にした。金枠の部分を途中より１１０度の角度に曲げたのは、目線より果実の枝を確実にとらえて果実が完全に採集具の中に納まるためである。【選択図】図２
2007111024.tif 000002
【特許請求の範囲】
【請求項１】
この考案品は立ち木に生っていう果実を採集する道具として考案した物である。従来より、よく使用された物は、竹を利用し、竹の棒で直経が約３０ｍｍの棒の先を両面三角型に削ぎ、二股にしその中心に５０ｍｍほどの割れ目を入れる。果実を採るには果実についている枝に竹の棒を差し込み先端の割れ目で挟み、挟んだところで捩じると果実ごと枝が折れ、採取できる。
【発明の詳細な説明】
【考案の詳細な説明】
【０００１】  請求項１で説明したように、竹により採集の場合は果実を挟んだ枝が果実の重みで挟んだ割れ目より外れて地面に落ちて傷つくのと、枝を捩じ折るので立ち木の為にも良くないものと思われる。この考案品は［図２］のように枝を切り取るので立ち木の損少がない点と、果実は枝から離れると同時に［図２］のように輔網に収まるので、落下し損傷もなく仕事も早く能率的である。
【技術分野】
【０００２】  考案品は従来の物と原理は同じと思われるが、直経約５ｍｍ程度の金属の保型用金枠を用い変形の輪を作り［図２］のように、その金枠の両方を合わせたところを［図３］のように長方形の金属で長さ１００ｍｍ巾２５ｍｍ厚さ５ｍｍにして固定する。この長方形の金属の上に［図４］のように三ヶ月型の、長さ約７０ｍｍの鋼鉄で出来た刃を取付ける。この刃は果実の枝を切断する為のものである。
【背景技術】
【０００３】  従来のものは請求項１で述べたように、竹竿の先を二股に割れ目を入れてその割れ目に果実の枝を挟み捩じる事により枝ごともぎ取る方法で昔より今日でも使用されている。今日では、確認はしていないが鋏みで切り取る方法も有るようである。
【考案が解決しようとする課題】
【０００４】  従来のものでは完全に果実を採集できないことも有りまた立ち木に損傷をあたえ、採集が遅いなどの欠点がある。考案品はその様な欠点はなく採集にも優れた能力をはっき出来る。
【課題を解決するための手段】
【０００５】  この考案品は針金を利用し四辺形の輪をつくる、手元で２辺が合ったところより［図２］のように約１４０ｍｍ両方の長さのところで約１１０度の角度で曲げる、その曲げた処より約１２０ｍｍの処が先端の結ばれた点となる。この四辺形の辺に深さ１２０〜１３０ｍｍの網を取り付ける。この網は果実を枝から切り採ったときの収納の為である。
【発明を実施するための最良の形態】
【０００６】  考案品は果実採集のもので、［図２］の二股の根元の処に、三ヶ月型の刃を取り付ける。刃を取り付けた考案品に竹の直経約３０ｍｍの竹竿を柄に利用する。竹の柄は何所でも簡単に格安で手に入るのと、果木の大小及び高低に合せ使用する事も出来る。この柄に付いては現に市販されているアルミ製品で伸縮の出来る物があるが、この考案品は出来るだけコストを抑えることを考え、かなり高いところの果実でも採集が出来るように考案した果実採集については、竹竿の先に考案品を取り付け、果実のなっている枝を挟むように差し込む事により考案品に付いている刃で果実の枝は簡単に切断されて果実は収納網に収まる。単純な作業だが従来の物より優れて能率的である。
考案品に取り付けた刃は［図３］のように、二ヶ所をねじ止めにしたので取りはずして刃立も出来一つの刃で何回となく使用出来る利点もある。
考案品に竹の柄を差込み取り付けるのであるが、［図１］のように柄の取り付けはねじにて１ヶ所を固定し締めるので抜ける事もなく作業も速くできる。
【考案の効果】
【０００７】この考案品により、高いところの果実でも容易に採集が出来ることは、豊富に果実の生産が期待でき、成木のまま放置することなく採集が出来ることは、物を大切にする上からも利点は大である。
【図面の簡単な説明】
【０００８】
【図１】は側面図である。保型用金枠と金枠を１１０度の曲がりと金枠止めと柄固定筒型金具、柄固定ねじを表した図である。
【図２】傾斜側面図は、金枠の曲がりと果実を入れる為の金枠の開き、刃の取り付け位置を表した図である。
【図３】平面図は、金枠の各長さ、刃止め台座金の長さ、柄を差し込む固定筒の長さを表した図である。
【図４】平面図は、刃の長さと刃の固定台座金具、台座の厚み、筒の厚みを表した図である。
【図１】
2007111024.tif 000003
【図２】
2007111024.tif 000004
【図３】
2007111024.tif 000005
【図４】
2007111024.tif 000006
(57)【要約】【課題】  松の新芽の持つ薬理学的成分を、長期維持保存出来て食しやすい食品として提供する方法。【解決手段】  松の新芽を塩漬けし、乾燥させ粉末にする。【選択図】  図１
2007111027.tif 000002
【特許請求の範囲】
【請求項１】
松の新芽を塩漬けし、乾燥して粉末にすることを特徴とする加工食品。
【請求項２】
松の新芽を壼等で塩漬けし乾燥機又は、天日により乾燥させ、粉砕機で粉末にすることを特徴とする製造方法。
【発明の詳細な説明】
【技術分野】
【０００１】  本発明は松の新芽の成分及び組織がもつ薬理学的効果を与える食品及び、製造方法に関する。
【背景技術】
【０００２】  松の新芽をエキスとして摘出し、飲料として提供〔特許公開０９−２９４５５７〕
【発明の開示】
【発明が解決するための課題】
【０００３】  松の新芽の持つ薬理学的成分を損なうことなく提供する。食品として食しやすく又長期維持保存が出来る方法
【課題を解決するための手段】
【０００４】  松の新芽を３ヶ月間塩漬けし、乾燥させ粉末にする。
【発明の効果】
【０００５】  松の新芽の持つ薬理学的成分をそのまま提供でき、食しやすく長期維持保存が出来る。
健康維持に必要な薬理学的成分アミノ酸類を多く含み、ガンを抑制するナチュラルキラー細胞を育てる効果も期待できる。
【発明を実施するための最良の形態】
【０００６】  松の新芽が伸びきる前に採取する。陶器の壺で漬ける。松の新芽と塩を交互に敷き詰める。室内常温で３ヶ月以上漬け込む。天日で十分に乾燥させる。粉砕機で粉末に加工する。
【実施例】
【０００７】  松の新芽を１０ｋｇ採取、食塩を１０ｋｇ用意。陶器の壺の底に塩を敷き詰め、松の新芽、塩と交互に同量ずつ敷き詰め重石を乗せる。室内に３ヶ月間放置した後、壺から松の新芽を取り出し塩を軽くはたき落とし天日干しする。十分乾燥した後、粉砕機で粉末に加工、アミノ酸類（図１）を多く含む松の芽粉末が出来上がった。。
【産業上の利用可能性】
【０００８】    本発明の松の芽粉末は、松の新芽がもつ薬理学的成分を損なうことなく食品として食することが出来、健康維持に貢献する。又癌を抑制するナチュラルキラー細胞を育てる植物性アミノ酸類を多く含むため、松の芽粉末を食することで、癌を抑制する可能性は高い。
【図面の簡単な説明】
【０００９】
【図１】  日本食品分析センターの松の芽粉末分析結果
【図１】
2007111027.tif 000003
(57)【要約】      （修正有）【課題】  鍬の重量を軽くすること。【解決手段】  刃先１、本体２１及び柄３からなる鍬６において、前記本体に穴５を設ける。【選択図】図１
2007111026.tif 000002
【特許請求の範囲】
【請求項１】
刃先（１）、本体（２）及び柄（３）から成る鍬（４）において、前記本体（２）に穴（５）を設けたことを特徴とする軽量鍬
【発明の詳細な説明】
【発明の詳細な説明】
【発明に属する技術分野】
【０００１】この発明は、農機具として田畑または各種の工事用などに使用する、鍬に関するものである
【背景技術】
【０００２】従来、鍬の刃先と本体は、一枚の金属板で重量が大きく労力が大きく、疲れるという欠点を有していた
【発明が解決しょうとする課題】
【０００３】従来、鍬の重量が大きく子供又は老人等にとっては、すぐに疲れるという問題点を有していた
【問題を解決するための手段】
【０００４】上記目的を達成するために、鍬における刃先以外の本体に穴〔形状は自由、例えば円形、だ円形、細長い孔、いわゆるスリットなど、更に詳しくは、くぼみ穴、へこみ穴よりは、空孔のいわゆる貫通孔（貫通穴）が最も好ましい〕すなわち鍬の重量を軽減し、体力のない子供、老人等の労働力の軽減を計ることができる
【発明の効果】
【０００５】鍬の重量を軽減し、体力のない子供、老人等の労働力の軽減をはかる事ができる
【図面の簡単な説明】
【図１】本発明の第１実施例斜視図
【図２】本発明の第２実施例の斜視図
【図３】本発明の第３実施例の斜視図
【図４】従来の鍬の斜視図
【符号の説明】
１は  刃先
２は  本体
２′は穴付本体
３は  柄
４は  従来の鍬
５は  穴（形状は自由）
６は  本発明の鍬（軽量鍬）
【図１】
2007111026.tif 000003
【図２】
2007111026.tif 000004
【図３】
2007111026.tif 000005
【図４】
2007111026.tif 000006
(57)【要約】【課題】  この発明は、破砕した海藻ワカメ及び海藻昆布等に大豆粉末を加えた混濁液を原料として用い、大豆イソフラボン、リジン及び海藻に含まれているミネラル、カルシウム等有用成分の含有した粒状組成物の製造方法に関するものである。【解決手段】  海藻ワカメ及び海藻昆布等に生大豆粉末を加えた混濁液に、炭酸ナトリウム、及びグリセリン脂肪酸エステル、炭酸カルシウム、レシチン、シリコン樹脂を加えて溶解し、常温に冷した後、グルコノデルタラクトン、塩化マグネシウム、クエン酸ナトリウム、を加えて、乳酸カルシウム水溶液中に滴下して凝固、更に加熱して組成物中の蛋白質を凝固させる「大豆成分を含有した海藻の粒状組成物」を得る製造方法。【選択図】    なし【特許請求の範囲】
【請求項１】
ミンチした海藻ワカメ及び海藻昆布に生大豆粉末と水を加えた混濁液に炭酸ナトリウム及びグリセリン脂肪酸エステル、炭酸ナトリウム、レシチン、シリコン樹脂などを加えて加熱し、当該海藻および生大豆粉末を溶解し、常温まで冷ましグルコノデルタラクトン、塩化マグネシウム、クエン酸ナトリウムを加えて、乳酸カルシウム水溶液中に滴下凝固させ、更に加熱凝固することを特徴とする大豆成分を含有した粒状組成物の製造方法。
【発明の詳細な説明】
【技術分野】
【０００１】この発明は、生大豆粉末と海藻ワカメ及び海藻昆布等を原料として、大豆成分を含有した海藻の粒状組成物の製造方法に関するものである。
【背景技術】
【０００２】海藻ワカメや海藻昆布等を原料とした麺状及び粒状食品は種々開発されている。例えば（公開平１２−１６６５１８）や（公開平１３−３３３７４５）があり、又ワカメや昆布に重曹を加えて煮溶かしてカルシウム塩水溶液中で凝固させる製造方法は「海宝めん」や「海藻麺」の製造方法として、昔から漁家の間では広く知られている。更にはアルギン酸ナトリウムが工業的に生産されるようになってからは、アルギン酸ナトリウム水溶液中に海藻類の破砕物を混和しカルシウム塩水溶液中で凝固させる方法は一般的手法となっている。
しかしながら、海藻ワカメ及び海藻昆布に生大豆粉末を同時に加えて処理する「大豆成分の含有した海藻の粒状組成物」の製造方法は、これまで開発されていなかった。
【発明の開示】
【発明が解決しようとする課題】
【０００３】本発明は、従来アルギン酸ナトリウムに糖や色素を加えても、カルシウム塩水溶液との反応時に反応液中に成分の大半が流失してしまうことから、海藻ワカメ及び海藻昆布等に生大豆粉末を加え、カルシウム塩水溶液との反応時でも大豆成分が残存するようなされたものであり、海藻ワカメ及び海藻昆布等の風味を損なわずに大豆成分が摂取できることを目的とした海藻の粒状組成物の製造方法を提供するものである。
【課題を解決するための手段】
【０００４】上記目的を達成すべく種々検討を重ねた結果、海藻ワカメ及び海藻昆布などの破砕物に生大豆粉末と水を加えた混濁液に炭酸ナトリウム及びグリセリン脂肪酸エステル、炭酸カルシウム、レシチン、シリコン樹脂を加えて加熱後冷却し、グルコノデルタラクトン、塩化マグネシウム、クエン酸ナトリウムを加えて撹拌、乳酸カルシウム水溶液中に滴下し凝固させ、更に加熱することにより本発明を完成した。【０００５】すなわち本発明は、海藻類が本来保有するアルギン酸を炭酸ナトリウムでアルギン酸ナトリウム変換させるとともに、生大豆粉末中の蛋白質の変性をはかり、乳酸カルシウム水溶液中で反応凝固させることにより、所望する粒状組成物を求める「大豆成分を含有する海藻の組成物」の製造方法に関するものである。
【発明の効果】
【０００６】本発明によって得られる「大豆成分を含有した海藻組成物」は、海藻ワカメ及び海藻昆布等の破砕物に大豆粉末と水を加えた混濁液に炭酸ナトリウムを加え過熱し溶解し、カルシウム塩類やグルコノデルタラクトン、塩化マグネシウム、クエン酸ナトリウム等を用いて凝固しているため加水や加熱時にも難溶性があり、食品素材として各種料理に用いることが出来る。
【発明を実施するための最良の形態】
【０００７】発明の実施の形態を詳細に説明する。
【実施例】
【０００８】第１工程、生の海藻ワカメ及び海藻昆布等をサイレントカッターで裁断し更にミンチ機にかけて細かく砕く。ミンチした海藻ワカメ及び海藻昆布等の重量の２０％の生大豆粉末と３，５倍量の水を加え、更に総重量の０，５％の炭酸ナトリウム及びグリセリン脂肪酸エステル０，２２％、炭酸カルシウム０，０２％レシチン０，０１％、シリコン０，００２％を加え９５℃〜１００℃で２０〜３０分間加熱、撹拌しながら溶解、ペースト状にして冷却する。【０００９】この工程に用いる海藻ワカメ及び海藻昆布等は生ワカメ及び生昆布に限るものではなく、塩抜きした塩蔵ワカメや昆布、水戻しの乾燥ワカメ及び乾燥昆布でも良い。【００１０】又、海藻ワカメ及び海藻昆布等に加える生大豆粉末の量も、海藻わかめ及び海藻昆布等の葉、茎や質により増減することが出来る。【００１１】第２工程、常温も若くわ常温以下に冷えた第１工程で得た大豆成分を含有した海藻ワカメ及び海藻昆布等のペーストにグルコノラクトン０，２６％、塩化マグネシウム０，０８％、クエン酸ナトリウム０，０６％を加えて撹拌する。【００１２】第３工程、凝固液として２％の乳酸カルシウム水溶液を作り、その水溶液中に直径３，５ｍｍの穴から第２工程の冷えたペーストを滴下して１０〜１５分間、浸漬することにより粒状組成物を得る。【００１３】第４工程、前工程で得た粒状の組成物を水洗いして、８０〜９０℃の熱湯に入れ１５〜２０分加熱後、冷却する。この工程は組成物中の大豆の蛋白質をグルコノデルタラクトン、塩化マグネシウム、クエン酸ナトリウムの作用により凝固させる意味からも必要な工程である。【００１４】以上に工程で得た「大豆成分含有の海藻の粒状組成物」は、水１，０００ｃｃ食塩１８０ｇ、魚醤２００ｃｃ、砂糖１００ｇ、調味料５０ｇを配合した調味液に３０分間浸漬した後、調味液を切り容器に入れ製品とする。
【産業上の利用可能性】
【００１５】本発明により得る海藻の粒状組成物は、大豆イソフラボン、リジンをはじめ海藻のミネラル、カルシウム等を含有しており、成人病予防、老化、肥満を予防する作用や効果があり、健康食品としても極めて優れた健康食品である。
(57)【要約】      （修正有）【課題】  ケースに入った綿棒を、直接綿棒に手指をふれることなく、容易に衛生的に取り出すための綿棒取り出し具を提供する。【解決手段】  一端につまみ部３と、他端に綿棒の綿球を嵌めることができるように形成された嵌合部２を形成した軸棒１を設け、これを収納する収納ケース５を設けたことを特徴とする、綿棒取り出し具。【選択図】  図１
2007111476.tif 000002
【特許請求の範囲】
【請求項１】
一端につまみ部と、他端に綿棒の綿球を嵌めることができるように形成した嵌合部を形成した軸棒を設けたことを特徴とする綿棒取り出し具。
【請求項２】
嵌合部を有する軸棒を収納することができるように形成した収納ケースを設けたことを特徴とする請求項１の綿棒取り出し具。
【発明の詳細な説明】
【技術分野】
【０００１】  本発明はケースに入った綿棒を、直接綿棒に手指をふれることなく、容易に衛生的に取り出すための綿棒取り出し具に関するものである。
【背景技術】
【０００２】  従来は、ケースから綿棒を取り出すためには、綿棒を直接手指で取り出していた。
また、ケースの中央に引き上げ部を設け、これを指先でもち上げ、浮き上がらせて取っていた。
また、ケースの側面に取り出し口を設け、ここから綿棒を取り出す等の発明が知られている。
【発明の開示】
【発明が解決しようとする課題】
【０００３】  そのために次のような問題点があった。
（イ）綿棒を直接取り出すために、汚れた手指、濡れた手指で取ると、綿棒全体に及び、不衛生である。
（ロ）綿棒ケースから、綿棒全体を引き上げることは、両手を使用することになり、わずらわしく、手間のかかる作業である。
（ハ）ケースの側面から、綿棒を取り出す仕様は、初めは良いが序々に少なくなるにつれ、後方面が残り、取り出しずらくなり不便を生じていた。
本発明は、以上の問題点を解決するためになされたものである。
【課題を解決するための手段】
【０００４】  一端につまみ部と、他端に綿棒の綿球を嵌めることができるように形成された嵌合部を形成した軸棒を設け、これを収納する収納ケースを設けたことを特徴とする、綿棒取り出し具である。
【発明の効果】
【０００５】  本発明は、ケースに入った綿棒を容易に１本１本手指を直接、綿棒にふれることなく取り出すことができる。
したがって最後の１本に至るまで手作業のわずらわしさがない。
また綿棒を取り出したあと、つまみ部を逆さにして平面に立てることにより、つぎに綿棒を使用するための１時、据え置きが出来る。
よって手指がよごれているとき、濡れている場合など綿棒をよごすことなく衛生的に使用できる。
【発明を実施するための最良の形態】
【０００６】  以下発明の形態を説明する。
（イ）つまみ部（３）の下部に軸棒（１）を設け、軸棒（１）の先端部（２）に外径内径を円筒形とし、内円形の穴に入るに従って段々的にせまく形成された嵌合部（２）を設ける。
（ロ）嵌合部（２）の内円穴の段数は、２段でも３段でもよく、段数に限定はない。
（ハ）軸棒（１）を収納するための上部につまみ部（３）の下端部が嵌合可能に形成された首部（６）を有する収納ケース（５）を設ける。
（ニ）軸棒（１）には赤、青色等の原色を施す。
それによって嵌合部（２）に綿球（８）を挿入する際、色調の差異がはっきりするので、視覚に訴えてすぐに取り出すことができる。
（ホ）収納ケース（５）の内部は抗菌を施し常に軸棒（１）の衛生を保守する。
（ヘ）取り出した綿棒（７）を、つぎに使用するための一時据え置きができるように、つまみ部（３）を逆さにし立たせるため、つまみ部（３）の頭部（４）を平面に形成する。
本発明は以上の構成よりなっている。
本発明を使用するときは上記の収納ケース（５）から軸棒（１）をつまみ部（３）を指先（１０）で取り上げ先端の嵌合部（２）を綿棒ケース（９）の綿球（８）に挿入する。
さらに押し進むと段々的な内円穴によって、吸い取られるように綿球（８）をとらえる。
これを上方へ引き上げることにより、綿棒（７）を容易に取り出せる。
【図面の簡単な説明】
【０００７】
【図１】  本発明の斜視図
【図２】  本発明の断面図
【図３】  本発明の使用状態を示した斜視図
【図４】  本発明の軸棒の嵌合部に綿棒の綿球を挿入して、据え置いた状態を示した斜視図
【符号の説明】
【０００８】      １  軸棒
２  嵌合部
３  つまみ部
４  頭部
５  収納ケース
６  首部
７  綿棒
８  綿球
９  綿棒ケース
１０  指先
【図１】
2007111476.tif 000003
【図２】
2007111476.tif 000004
【図３】
2007111476.tif 000005
【図４】
2007111476.tif 000006
(57)【要約】【課題】守り札本体及びその周辺に効力の発現時間の制御機構を設けた効力発現時間制御型守り札を提供する。【解決手段】守り札本体及びその周辺に守り札の効力の発現時間を明示し、発現時間の制御機構が設けられていることを特徴とする効力発現時間制御型守り札。【選択図】図２
2007111471.tif 000002
【特許請求の範囲】
【請求項１】
守り札本体及びその周辺に守り札の効力の発現時間を明示し、発現時間の制御機構が設けられていることを特徴とする効力発現時間制御型守り札。
【発明の詳細な説明】
【技術分野】
【０００１】  本発明は効力の発現時間を制御する機構を設けた効力発現時間制御型守り札に関するものである。
【背景技術】
【０００２】  従来、効力の発現時間をほぼ１年とするお札やお守りがあった。
【発明の開示】
【発明が解決しようとする課題】
【０００３】  そのために、次のような問題点があった。
（イ）効力の発現時間あるいは発現期間の明示がないので、効力がいつまで保たれているのか分からなかった。
（ロ）効力の発現時間あるいは発現期間の明示がないので、お札やお守りを持っている人がその効力を強くイメージすることができなかった。
（ハ）効力の発現時間あるいは発現期間の明示がないのでお札やお守りの効力と発現時間の積を意識する事がなかった。
【課題を解決するための手段】
【０００４】  守り札本体及びその周辺に守り札の効力の発現時間を明示し、発現時間の制御機構が設けられていることを特徴とする効力発現時間制御型守り札である。
【発明の効果】
【０００５】  お札やお守りの効力を強くイメージできてメンタル面でのサポートというお札やお守りの担う本来の役割がより的確にはたせるようになる。
【発明を実施するための最良の形態】
【０００６】  以下、本発明の実施の形態について説明する。
（イ）予め、きちんとした資格を持っている神官に、守り札本体（１）の印刷原板あるいは印刷原板のコンピューターデータを、この原板を用いて作られた守り札本体（１）に、現行の守り札のように１年分の効力がやどるよう祈祷してもらい、さらにその効力を封筒（２）に施された封印紙（３）を切った瞬間から２４時間、つまり１日で発現しきってしまうよう祈祷をほどこしてもらう。
そして、その原板あるいはコンピューターデータを用いて守り札本体（１）を作製する。
（ロ）封筒（２）に守り札本体（１）を入れて封筒の上部フラップを折り、更に封印紙（３）を糊等で貼り付け、封を施す。
（ハ）封筒（２）には封印紙（３）を切った瞬間から２４時間、現行の守り札の３６５倍の効力が発現するむねの説明を記載しておく。
つまり、１年、３６５日分の効力を１日で発現してしまうので、その効力は３６５倍になる、というわけである。
（ニ）また封筒（２）には、守り札の効力を受けたい日に封印紙（３）を切り、守り札本体（１）を封筒（２）から取出してポケットなどに入れて２４時間携帯し、２４時間が過ぎた後は守り札本体（１）をハサミ等で破壊し、破棄するという使用法も記載しておく。
（ホ）例えば受験生が受験の際にこの守り札を使用するには、受験当日の朝に封印紙（３）を切って守り札本体（１）を取出し、ポケット等に入れて携帯して受験に臨む。
翌日、守り札本体（１）をハサミ等で破壊し、破棄する。
受験生は受験当日、現行の守り札の３６５倍の効力で守られる事になる。
【図面の簡単な説明】
【０００７】
【図１】本発明の斜視図
【図２】本発明の一部を切り欠いた斜視図
【図３】本発明の分解斜視図
【符号の説明】
【０００８】  １  守り札本体
２  封筒
３  封印紙
【図１】
2007111471.tif 000003
【図２】
2007111471.tif 000004
【図３】
2007111471.tif 000005